(57)【要約】      （修正有）【課題】現在会員による新規会員の申し込みを簡略化するとともに、現在会員及び新規会員への特典の取得を容易にすることが可能な新規会員申込ツールを提供する。【解決手段】商品選択用リーフレット１０は、発送可能な商品１０ａと当該商品を識別するための商品番号１０ｂとが一組となった複数の商品群１０ｃと、現在会員を識別するための現在会員識別情報が記入される現在会員識別情報記入欄１０ｄと、新規会員を識別するための新規会員識別情報が記入される新規会員識別情報記入欄１０ｅと、を備える。申込用はがき１１は、発送対象の商品の商品番号が記入される商品番号記入欄１１ａと、現在会員又は新規会員のいずれかの会員識別情報が記入される会員識別情報記入欄１１ｂと、現在会員又は新規会員に商品を発送する発送者の住所と、を備える。【選択図】図１
0003195930.tif 000002
【実用新案登録請求の範囲】
【請求項１】
商品選択用リーフレットと、申込用はがきとの２枚セットの新規会員申込ツールであって、
前記商品選択用リーフレットは、発送可能な商品と当該商品を識別するための商品番号とが一組となった複数の商品群と、
現在会員を識別するための現在会員識別情報が記入される現在会員識別情報記入欄と、
新規会員を識別するための新規会員識別情報が記入される新規会員識別情報記入欄と、
を備え、
前記申込用はがきは、発送対象の商品の商品番号が記入される商品番号記入欄と、
前記現在会員又は前記新規会員のいずれかの会員識別情報が記入される会員識別情報記入欄と、
前記現在会員又は前記新規会員に商品を発送する発送者の住所と、
を備えることを特徴とする新規会員申込ツール。
【考案の詳細な説明】
【技術分野】
【０００１】
本考案は、新規会員申込ツールに関する。
【背景技術】
【０００２】
従来より、例えば、スポーツクラブ、フィットネスクラブ、スイミングスクール、学習塾、書道教室、絵画教室、英会話教室等のサービス提供事業では、新規会員の申し込みを促進するための方法として、現在会員が、家族や友人、同級生、同僚等の新規会員をサービス提供事業に紹介すると、サービス提供事業は、現在会員又は／及び新規会員に特典を付与する方法を採用している。これにより、現在会員のモチベーションを高め、現在会員による新規会員の申し込みを促す。
【０００３】
又、新規会員の申し込みを促進するためのツールとして、例えば、実開平６−１２０６９号公報（特許文献１）には、それぞれの会員購入申込書に記載された新規資格登録番号記入欄と、紹介資格登録番号記入欄と、代理店資格登録番号記入欄の各欄に各種の資格に対応する資格の登録番号をそれぞれ記入できるように印刷して、還付金や資格の特典を得ることができる会員制における会員購入申込書の綴りが開示されている。これにより、紹介者が所定の人数だけ紹介したことを確認した場合に、その紹介者に対し、還付金の資格や昇格等の特典が得られるとしている。
【０００４】
又、商品を購入するためのツールとして、例えば、実用新案登録第３０８４９８５号（特許文献２）には、帯状用紙の上下を交互に所定幅だけずらして折り返すことにより、複数枚の紙片が重ねられて一体的に形成されたメールオーダー情報媒体が開示されている。このメールオーダー情報媒体は、前記折り返された紙片に商品情報、商品購入情報が記載されたメールオーダー情報部と、前記折り返された紙片の所定の数枚で形成され返信封筒部と、前記表紙から１枚置きに紙片の前記所定の幅に形成された第一の表示部と、前記裏表紙から１枚置きに紙片の前記所定の幅に形成された第二の表示部とで構成する。これにより、利用者は一つのメールオーダーで複数の商品の中から希望する商品の情報が閲覧でき複数のメールオーダーを取り寄せる必要が無くなり、手間を解消出来るとしている。
【先行技術文献】
【特許文献】
【０００５】
【特許文献１】実開平６−１２０６９号公報
【特許文献２】実用新案登録第３０８４９８５号
【考案の概要】
【考案が解決しようとする課題】
【０００６】
しかしながら、従来の新規会員申込ツールでは、新規会員の紹介に対する現在会員のモチベーションが十分に高められず、新規会員の獲得率が低いという課題がある。又、従来の新規会員申込ツールでは、現在会員が、サービス提供事業者に新規会員を連れて行き、新規会員にサービス提供事業者のサービスへの入会をさせた後でなければ、サービス提供事業者から、商品等の特典を得られないため、新規会員の申し込みに手間が掛かるという課題がある。このような課題を、特許文献１、２に記載の技術では解決することが出来ない。
【０００７】
そこで、本考案は、前記課題を解決するためになされたものであり、現在会員による新規会員の申し込みを簡略化するとともに、現在会員及び新規会員への特典の取得を容易にすることが可能な新規会員申込ツールを提供することを目的とする。
【課題を解決するための手段】
【０００８】
本考案に係る新規会員申込ツールは、商品選択用リーフレットと、申込用はがきとの２枚セットの新規会員申込ツールであって、以下の構成を採用する。前記商品選択用リーフレットは、発送可能な商品と当該商品を識別するための商品番号とが一組となった複数の商品群と、現在会員を識別するための現在会員識別情報が記入される現在会員識別情報記入欄と、新規会員を識別するための新規会員識別情報が記入される新規会員識別情報記入欄と、を備える。前記申込用はがきは、発送対象の商品の商品番号が記入される商品番号記入欄と、前記現在会員又は前記新規会員のいずれかの会員識別情報が記入される会員識別情報記入欄と、前記現在会員又は前記新規会員に商品を発送する発送者の住所と、を備える。
【考案の効果】
【０００９】
本考案に係る新規会員申込ツールによれば、現在会員による新規会員の申し込みを簡略化するとともに、現在会員及び新規会員への特典の取得を容易にすることが可能となる。
【図面の簡単な説明】
【００１０】
【図１】本考案の実施形態に係る新規会員申込ツールを示す表面図である。
【図２】本考案の実施形態に係る新規会員申込ツールを示す裏面図である。
【図３】本考案の実施例１に係る新規会員申込ツールを示す表面図である。
【図４】本考案の実施例１に係る新規会員申込ツールを示す裏面図である。
【図５】本考案の実施例２に係る新規会員申込ツールを示す表面図である。
【図６】本考案の実施例２に係る新規会員申込ツールを示す裏面図である。
【図７】本考案の実施例３に係る新規会員申込ツールを示す表面図である。
【図８】本考案の実施例３に係る新規会員申込ツールを示す裏面図である。
【考案を実施するための形態】
【００１１】
以下に、添付図面を参照して、本考案に係る新規会員申込ツールの実施形態について説明し、本考案の理解に供する。尚、以下の実施形態は、本考案を具体化した一例であって、本考案の技術的範囲を限定する性格のものではない。
【００１２】
本考案に係る新規会員申込ツール１は、商品選択用リーフレット１０と、申込用はがき１１との２枚セットの新規会員申込ツールである。そして、前記商品選択用リーフレット１０の表面は、図１に示すように、発送可能な商品１０ａと当該商品を識別するための商品番号１０ｂとが一組となった複数の商品群１０ｃと、現在会員を識別するための現在会員識別情報（例えば、氏名、会員番号等）が記入される現在会員識別情報記入欄１０ｄと、新規会員（入会員）を識別するための新規会員識別情報（例えば、氏名等）が記入される新規会員識別情報記入欄１０ｅとを備えている。
【００１３】
又、前記申込用はがき１１の表面は、図１に示すように、発送対象の商品の商品番号が記入される商品番号記入欄１１ａと、前記現在会員又は前記新規会員のいずれかの会員識別情報が記入される会員識別情報記入欄１１ｂ（例えば、氏名、住所等）とを備え、前記申込用はがき１１の裏面は、図２に示すように、前記現在会員又は前記新規会員に商品を発送する発送者の住所１１ｃを備えている。
【００１４】
これにより、現在会員による新規会員の申し込みを簡略化するとともに、現在会員及び新規会員への特典の取得を容易にすることが可能となる。
【００１５】
例えば、新規会員の入会を希望するサービス提供事業者が、現在会員に、商品選択用リーフレット１０と申込用はがき１１との２枚セットを渡したとする。すると、現在会員は、前記申込用はがき１１を新規会員に渡し、前記商品選択用リーフレット１０に必要事項（現在会員識別情報記入欄１０ｄ、新規会員識別情報記入欄１０ｅ）を記入し、サービス提供事業者に渡せば、現在会員による新規会員の紹介が完了するため、現在会員の手間を解消することが出来る。
【００１６】
又、新規会員も、現在会員から受け取った申込用はがき１１に必要事項（商品番号記入欄１１ａ、会員識別情報記入欄１１ｂ）を記入して、ポストに投函すれば、この申込用はがき１１は、発送者へ自動的に送信されるため、新規会員の手間を解消することが出来る。
【００１７】
又、他の使用形態として、サービス提供事業者（例えば、店舗のスタッフ）が、店舗で現在会員に商品選択用リーフレット１０を渡すと、現在会員は、当該商品選択用リーフレット１０の現在会員識別情報記入欄１０ｄに必要事項（現在会員の氏名等）を記入し、当該商品選択用リーフレット１０を新規会員に渡す。新規会員は、受け取った商品選択用リーフレット１０の新規会員識別情報記入欄１０ｅに必要事項（新規会員の氏名等）を記入し、当該商品選択用リーフレット１０を店舗のスタッフに渡す。店舗のスタッフは、商品選択用リーフレット１０の現在会員識別情報記入欄１０ｄと新規会員識別情報記入欄１０ｅの記載事項に基づいて、現在会員と新規会員の存在（一致）を確認し、現在会員及び新規会員に、申込用はがき１１と新たな商品選択用リーフレット１０（未記入）とをそれぞれ渡す。現在会員又は新規会員は、申込用はがき１１の商品番号記入欄１１ａに希望の商品番号を記入するとともに、会員識別情報記入欄１１ｂに必要事項（氏名、住所等）を記入してポストに投函する。商品の発送者（配送業者）に現在会員又は新規会員の申込用はがき１１が到着すると、発送者は、当該申込用はがき１１の記載事項に基づいて商品を発送すれば、現在会員又は新規会員は、所望の商品を手に入れることが出来るのである。
【００１８】
このように、サービス提供事業者側が、商品選択用リーフレット１０に基づいて現在会員及び新規会員の存在を確認した後に、申込用はがき１１を現在会員及び新規会員に渡して、商品発送を許可することで、現在会員に新規会員への紹介を適切にさせることが可能となる。又、現在会員は、商品選択用リーフレット１０のうち、新規会員識別情報記入欄１０ｅを記入する必要があるため、新規会員から新規会員の識別情報（例えば、氏名等）を聞かなければならない。一方、新規会員は、商品を選択する場合、申込用はがき１１の商品番号記入欄１１ａを記入する必要があるため、現在会員から商品選択用リーフレット１０を見せてもらわなければならない。このように、現在会員は新規会員側の情報を必要とし、新規会員は現在会員側の情報を必要とすることで、現在会員に新規会員への紹介を適切にさせることが可能となる。尚、現在会員及び新規会員の存在が確認出来ない場合、サービス提供事業者は、申込用はがき１１を現在会員及び新規会員に渡さなければ、商品発送が行われないため、無駄な商品発送を確実に防止出来る。
【００１９】
尚、サービス提供事業者が現在会員及び新規会員の存在を確認した後に、新たな商品選択用リーフレット１０（未記入）を現在会員及び新規会員に渡すことで、現在会員及び新規会員に、更に他の新規会員を紹介させることが可能となるため、新規会員の入会数を顕著に増加させることが可能となる。
【００２０】
又、商品選択用リーフレット１０と申込用はがき１１との使用形態は上述に限らず、例えば、下記の構成でも構わない。現在会員がサービス提供事業者の元（事務所等）に訪れた際に、サービス提供事業者が、先ず、商品選択用リーフレット１０を現在会員に渡す。次に、現在会員が商品選択用リーフレット１０に必要事項を記入し、新規会員を連れてサービス提供事業者の元に訪れた際に、サービス提供事業者が、商品選択用リーフレット１０を確認した後に、別途、新規会員用の申込用紙を新規会員に渡す。更に、新規会員が申込用紙に必要事項を記入し、当該申込用紙をサービス提供事業者に渡した際に、新規会員の入会が初めて確定するため、サービス提供事業者が申込用はがき１１を新規会員に渡すように構成しても良い。新規会員は、申込用はがき１１に必要事項を記入してサービス提供事業者に直接渡しても良いし、別途ポストに投函しても良い。ここで、申込用はがき１１の発送者の住所１１ｃが商品発送を専門とする発送センターの住所である場合は、サービス提供事業者が各新規会員毎の申込用はがき１１を一括して発送センサーへ送った方が良いため、サービス提供事業者が新規会員から申込用はがき１１を直接回収すれば良い。一方、申込用はがき１１の発送者の住所１１ｃがサービス提供事業者の住所である場合は、新規会員がサービス提供事業者に直接渡さずにポストに投函すれば良い。商品選択用リーフレット１０と申込用はがき１１との２枚セットの使用形態に特に限定は無い。
【００２１】
ここで、商品群１０ｃの商品１０ａの構成に特に限定は無く、例えば、飲み物、食べ物等を挙げることが出来る。又、商品群１０ｃの商品１０ａの表示に特に限定は無く、例えば、商品名、商品写真、産地、原材料、商品の詳細情報等を挙げることが出来る。又、商品群１０ｃの商品番号１０ｂに特に限定は無く、例えば、「０００１」等の数字、アルファベット、文字の組み合わせを挙げることが出来る。又、商品群１０ｃの数に特に限定は無く、例えば、９個、１０個、１２個等を挙げることが出来る。
【００２２】
又、商品選択用リーフレット１０の現在会員識別情報記入欄１０ｄの構成に特に限定は無く、例えば、氏名記入欄のみでも、ふりがな記入欄付きの氏名記入欄でも良い。又、現在会員の氏名記入欄に、更に、サービス提供事業者で決めた現在会員の会員番号記入欄を追加しても良いし、氏名記入欄に代えて会員番号記入欄としても良い。又、サービス提供事業者で現在会員が所属するクラスのクラス記入欄（曜日、時等）を追加しても良いし、例えば、「クラブを選んだ決め手は何ですか」等のアンケートに対して、複数の選択肢（駅近立地、会費・料金、会員プラン、プログラム、施設、家族・遊人の紹介、雰囲気・居心地、その他等）をチェックするための現在会員用のアンケート項目を追加しても良い。
【００２３】
又、商品選択用リーフレット１０の現在会員識別情報記入欄１０ｄに、更に、現在会員用の商品番号記入欄１０ｆを追加しても良い。これにより、商品選択用リーフレット１０の商品番号記入欄１０ｆには、現在会員が発送を希望する商品番号が記入され、申込用はがき１１の商品番号記入欄１１ａには、新規会員が発送を希望する商品番号が記入され、サービス提供事業は、商品選択用リーフレット１０で現在会員及び新規会員の所望する商品を確認することが可能となる。
【００２４】
又、商品選択用リーフレット１０の新規会員識別情報記入欄１０ｅの構成に特に限定は無く、例えば、氏名記入欄のみでも、ふりがな記入欄付きの氏名記入欄でも良い。又、新規会員の住所記入欄を更に追加しても良いし、図１に示すように、新規会員用の商品番号記入欄１０ｇを追加しても良い。これにより、申込用はがき１１の会員識別情報記入欄１１ｂに新規会員の識別情報が記入される場合、サービス提供事業者は、商品選択用リーフレット１０の新規会員識別情報記入欄１０ｅ及び商品番号記入欄１０ｇと、申込用はがき１１の会員識別情報記入欄１１ｂ及び商品番号記入欄１１ａを照合することが可能となり、現在会員が新規会員を適切に紹介したかどうかを二重で判定することが可能となる。
【００２５】
又、申込用はがき１１の商品番号記入欄１１ａの構成に特に限定は無く、例えば、商品番号記入欄のみでも、商品名記入欄付きの商品番号記入欄でも良い。又、申込用はがき１１の会員識別情報記入欄１１ｂの構成に特に限定は無く、例えば、氏名記入欄のみでも、ふりがな記入欄付きの氏名記入欄でも良いし、図１に示すように、現在会員又は新規会員のいずれかの会員の住所記入欄を更に追加しても良い。又、現在会員又は新規会員の基本的な情報を記入するために、男女の性別記入欄、年齢記入欄、電話番号、電子メール等の連絡先記入欄を追加しても良い。又、現在会員又は新規会員のいずれかの会員の住所記入欄に代えて、当該会員が商品の発送を希望する発送先住所記入欄としても良い。更に、例えば、新規会員又は現在会員である旨をチェックするためのチェック項目や、「紹介者との関係」等のアンケートに対して、複数の選択肢（家族、友人、同僚、その他等）をチェックするためのアンケート項目を追加しても良い。
【００２６】
又、申込用はがき１１の発送者の住所１１ｃの構成に特に限定は無く、例えば、上述のように、サービス提供事業者自身の住所でも、発送センターの住所でも、新規会員申込ツール１の手配や商品発送等を代行する代行業者の住所でも良い。発送者の住所１１ｃがサービス提供事業者の住所である場合は、サービス提供事業者が、現在会員から記入後の商品選択用リーフレット１０を回収し、現在会員又は新規会員からの記入後の申込用はがき１１を受け取った後に、商品選択用リーフレット１０と申込用はがき１１との情報を照合して、商品の発送を決定すれば良い。又、発送者の住所１１ｃが発送センターの住所である場合、サービス提供事業者が、現在会員及び新規会員から記入後の商品選択用リーフレット１０を回収するとともに、発送センターから現在会員又は新規会員の記入後の申込用はがき１１の受取を確認することで、商品の発送を決定すれば良い。又、発送者の住所１１ｃが代行業者の住所である場合、代行業者が、サービス提供事業者から、現在会員及び新規会員の記入後の商品選択用リーフレット１０の受取を確認し、現在会員又は新規会員からの記入後の申込用はがき１１を受け取った後に、両者の情報を照合して、商品の発送を発送センターに指示すれば良い。商品選択用リーフレット１０の新規会員識別情報記入欄１０ｅと、申込用はがき１１の会員識別情報記入欄１１ｂの照合や商品の発送の主体に特に限定は無い。又、必ずしも、商品選択用リーフレット１０と申込用はがき１１との情報を照合する必要は無く、例えば、サービス提供事業者が、商品選択用リーフレット１０等で先に現在会員による新規会員の紹介・入会を確認した後に、申込用はがき１１を現在会員及び新規会員に渡して、後は、現在会員及び新規会員に申込用はがき１１の投函を任せるよう構成しても良い。尚、申込用はがき１１の発送者の住所１１ｃに加えて、料金受取人払郵便の旨の表示、郵便切手を貼付する貼付欄等を記載しても良い。
【００２７】
又、商品選択用リーフレット１０の表面の構成に特に限定は無く、例えば、新規会員及び商品の申込方法を記載しても、応募締切を記載しても良い。又、商品選択用リーフレット１０の表面の構成に特に限定は無く、例えば、図２に示すように、紹介キャンペーンの旨の表示、商品紹介、新規会員の入会に関するお得情報、期限等を記載しても良い。又、商品選択用リーフレット１０の表面又は／及び裏面、申込用はがき１１の表面又は／及び裏面には、サービス提供事業者の情報を記載しても良い。
【００２８】
又、商品選択用リーフレット１０の表面が裏面になっても良く、申込用はがき１１の表面が裏面になっても良い。又、商品選択用リーフレット１０の表面の情報が裏面の情報になっても良く、申込用はがき１１の表面の情報が裏面の情報になっても良い。
【００２９】
＜実施例＞
以下、実施例等によって本発明を具体的に説明するが、本発明はこれにより限定されるものではない。
【００３０】
＜実施例１＞
図３、図４に示すように、実施例１に係る商品選択用リーフレット１０（表面）には、日本全国９種類の名産品の商品群１０ｃと、現在会員の会員番号（Ｎｏ．）及び現在会員の氏名が記入される現在会員識別情報記入欄１０ｄと、新規会員の氏名が記入される新規会員識別情報記入欄１０ｅと、新規会員及び商品の申込方法とが記載されている。又、実施例１に係る申込用はがき１１（表面）には、商品番号及び商品名が記入される商品番号記入欄１１ａと、現在会員又は新規会員の氏名、性別、年齢、新規会員又は現在会員である旨をチェックするためのチェック項目、「紹介者との関係」のアンケートに対して、複数の選択肢（家族、友人、同僚、その他等）をチェックするためのアンケート項目、商品発送先の住所、連絡先（電話番号）が記入される会員識別情報記入欄１１ｂとが記載されている。又、キャンペーンの期限、サービス提供事業者の店舗が記載されている。又、実施例１に係る商品選択用リーフレット１０（裏面）には、商品紹介、紹介キャンペーンの旨の表示、新規会員の入会に関するお得情報、キャンペーン期限等が記載され、実施例１に係る申込用はがき１１（裏面）には、商品を発送する発送者の住所１１ｃが記載されている。これにより、新規会員の申し込みの簡略化と、現在会員及び新規会員への特典の取得の容易化を可能とする。
【００３１】
＜実施例２＞
図５、図６に示すように、実施例２に係る商品選択用リーフレット１０（表面）には、日本全国うまいもの巡り１０種類の産直品の商品群１０ｃと、現在会員の会員番号（Ｎｏ．）、クラス（曜日、時）、現在会員の氏名が記入される現在会員識別情報記入欄１０ｄと、新規会員の氏名が記入される新規会員識別情報記入欄１０ｅとが記載されている。更に、現在会員用の商品番号記入欄１０ｆと、新規会員用の商品番号記入欄１０ｇと、新規会員及び商品の申込方法とが記載されている。又、実施例２に係る申込用はがき１１（表面）には、商品番号及び商品名が記入される商品番号記入欄１１ａと、現在会員又は新規会員の氏名、性別、年齢、新規会員又は現在会員である旨をチェックするためのチェック項目、「紹介者との関係」のアンケートに対して、複数の選択肢（家族、友人、同僚、その他等）をチェックするためのアンケート項目、商品発送先の住所、連絡先（電話番号）、商品届け先の氏名が記入される会員識別情報記入欄１１ｂとが記載されている。又、サービス提供事業者の店舗が記載されている。又、実施例２に係る商品選択用リーフレット１０（裏面）には、商品紹介、紹介キャンペーンの旨の表示等が記載され、実施例２に係る申込用はがき１１（裏面）には、商品を発送する発送者の住所１１ｃが記載されている。これにより、新規会員の申し込みの簡略化と、現在会員及び新規会員への特典の取得の容易化を可能とする。
【００３２】
＜実施例３＞
図７、図８に示すように、実施例３に係る商品選択用リーフレット１０（表面）には、東北地方のグルメ便１２種類の産直品の商品群１０ｃと、現在会員の会員番号（Ｎｏ．）、現在会員の氏名が記入される現在会員識別情報記入欄１０ｄと、新規会員の氏名が記入される新規会員識別情報記入欄１０ｅとが記載されている。又、「クラブを選んだ決め手は何ですか」のアンケートに対して、複数の選択肢（駅近立地、会費・料金、会員プラン、プログラム、施設、家族・遊人の紹介、雰囲気・居心地、その他等）をチェックするための現在会員用のアンケート項目、新規会員及び商品の申込方法、キャンペーンの期限が記載されている。又、実施例３に係る申込用はがき１１（表面）には、商品番号及び商品名が記入される商品番号記入欄１１ａと、現在会員又は新規会員の氏名、性別、商品発送先の住所、連絡先（電話番号）が記入される会員識別情報記入欄１１ｂとが記載されている。又、キャンペーンの期限、サービス提供事業者の店舗が記載されている。又、実施例３に係る商品選択用リーフレット１０（裏面）には、商品紹介、紹介キャンペーンの旨の表示、新規会員の入会に関するお得情報、申込み手順等が記載され、実施例３に係る申込用はがき１１（裏面）には、商品を発送する発送者の住所１１ｃが記載されている。これにより、新規会員の申し込みの簡略化と、現在会員及び新規会員への特典の取得の容易化を可能とする。
【産業上の利用可能性】
【００３３】
以上のように、本考案に係る新規会員申込ツールは、新規会員の入会を要する事業であれば、どのような事業でも有用であり、現在会員による新規会員の申し込みを簡略化するとともに、現在会員及び新規会員への特典の取得を容易にすることが可能な新規会員申込ツールとして有効である。
【符号の説明】
【００３４】
１  新規会員申込ツール
１０  商品選択用リーフレット
１１  申込用はがき
【図１】
0003195930.tif 000003
【図２】
0003195930.tif 000004
【図３】
0003195930.tif 000005
【図４】
0003195930.tif 000006
【図５】
0003195930.tif 000007
【図６】
0003195930.tif 000008
【図７】
0003195930.tif 000009
【図８】
0003195930.tif 000010